(57)【特許請求の範囲】
【請求項１】
単位時間当たりの吐出量を変化可能に構成された電動コンプレッサと、車室外に配設される車室外熱交換器と、膨張弁と、車室内に配設されて空調用空気を冷却する車室内冷却用熱交換器とを冷媒配管によって環状に接続してなる冷凍サイクル装置と、
車室内において上記車室内冷却用熱交換器の空気流れ方向下流側に配設され、空調用空気を加熱する車室内加熱用熱交換器と、
上記車室内冷却用熱交換器及び上記車室内加熱用熱交換器を収容するケーシングと、
上記ケーシング内に収容され、上記車室内冷却用熱交換器を通過した空気の上記車室内加熱用熱交換器への通過量を変更することによって車室内に吹き出す空調風の温度を調節するエアミックスドアと、
上記車室外熱交換器に送風するクーリングファンと、
上記膨張弁の冷媒入口側における冷媒のサブクール度合いを検出するサブクール検出手段と、
車両の車速に関する情報を出力する車速情報出力装置と、
上記電動コンプレッサ及び上記エアミックスドアを制御する制御装置とを備えた車両用空調装置において、
上記制御装置は、
車室内に吹き出す空調風の温度を上昇させる要求信号を受けた場合には、上記エアミックスドアの開閉動作による上記車室内加熱用熱交換器への送風量増加動作よりも、上記電動コンプレッサの吐出量減少動作を優先させて行い、一方、上記サブクール検出手段からの信号に基づいて上記膨張弁の冷媒入口側において冷媒がサブクール状態にならないと判定される場合には、上記車速情報出力装置から出力される情報に基づいて車速が所定車速以下であると判断したときに、上記電動コンプレッサの吐出量増加動作よりも、上記クーリングファンの送風量増加動作を優先させて行い、該クーリングファンの上限回転数を所定車速よりも高い場合に比べて低く設定するように構成されていることを特徴とする車両用空調装置。
【請求項２】
請求項１に記載の車両用空調装置において、
上記冷凍サイクル装置の高圧側の冷媒圧力を検出する高圧側圧力検出手段を備え、
上記制御装置は、上記高圧側圧力検出手段からの信号に基づいて高圧側の冷媒圧力が所定圧力以下であると判断した場合、所定圧力よりも高い場合に比べて、上記クーリングファンの上限回転数を低く設定することを特徴とする車両用空調装置。
【発明の詳細な説明】
【技術分野】
【０００１】
本発明は、車両に搭載される車両用空調装置に関するものである。
【背景技術】
【０００２】
従来から、電動コンプレッサを有する冷凍サイクル装置を備えた車両用空調装置が知られている。この冷凍サイクル装置は、電動コンプレッサ、車室外に配設される車室外熱交換器、膨張弁、及び車室内に配設される車室内熱交換器を冷媒配管によって順に接続してなり、電動コンプレッサの回転数を変化させることによって空調負荷に応じた運転が可能となっている。例えば、低負荷時には、必要冷媒循環量が少なくて済むので電動コンプレッサの回転数が低く設定され、冷媒圧力が低くなる。
【０００３】
また、例えば、特許文献１、２に開示されているように、車両には、車室外熱交換器に空気を送るクーリングファンが搭載され、例えば冷媒圧力等を感知して必要時に動作するようになっている。
【先行技術文献】
【特許文献】
【０００４】
【特許文献１】特開昭５５−１０７０１６号公報
【特許文献２】特開昭５９−９３１６０号公報
【発明の概要】
【発明が解決しようとする課題】
【０００５】
ところで、低負荷時に電動コンプレッサを低回転で運転すると、冷媒循環量が少なくなることから、冷媒の高圧圧力が低下してしまう。高圧圧力が低下すると、車室外熱交換器の出口側でサブクールがとれにくくなる（冷媒が過冷却状態になりにくくなる）。
【０００６】
車室外熱交換器の出口側でサブクールがとれないと、完全に液化されない気液二相状態の冷媒が膨張弁を通過することになる。このときに気相が存在していることに起因して冷媒通過音が発生する。冷媒通過音としては、膨張弁自身から直接伝播して乗員の耳に届く音（直接伝播音）と、膨張弁から車室内熱交換器に伝播して乗員の耳に届く音（間接伝播音）とがあり、いずれも乗員にとって不快感を及ぼすことになる。
【０００７】
直接伝播音の対策としては、膨張弁を遮音材で覆う方法があるが、完全に防ぐのは難しい。また、間接伝播音については、車室内熱交換器は空気を冷却して車室内に供給するためのものであるので、それ自体を遮音材で覆うことはできず、有効な解決策はないのが現状である。
【０００８】
また、近年、例えばハイブリッド車や電気自動車等では車両で消費する電力をできるだけ抑制したいという要求があるが、その一方で、空調性能の確保も重要事項である。
【０００９】
本発明は、かかる点に鑑みてなされたものであり、その目的とするところは、電動コンプレッサを有する空調装置の電力消費量を抑制しながら空調性能を確保する場合に、高圧圧力が低下してもサブクールをとることができるようにして冷媒通過音を低減することにある。
【課題を解決するための手段】
【００１０】
上記目的を解決するために、本発明では、電動コンプレッサの吐出量減少動作を優先させることによって吹き出し温度を上昇させるようにする一方で、膨張弁の冷媒入口側において冷媒がサブクール状態とならない場合には、電動コンプレッサの吐出量増加動作よりも、クーリングファンの送風量増加動作を優先させるようにした。
【００１１】
第１の発明は、単位時間当たりの吐出量を変化可能に構成された電動コンプレッサと、車室外に配設される車室外熱交換器と、膨張弁と、車室内に配設されて空調用空気を冷却する車室内冷却用熱交換器とを冷媒配管によって環状に接続してなる冷凍サイクル装置と、
車室内において上記車室内冷却用熱交換器の空気流れ方向下流側に配設され、空調用空気を加熱する車室内加熱用熱交換器と、
上記車室内冷却用熱交換器及び上記車室内加熱用熱交換器を収容するケーシングと、
上記ケーシング内に収容され、上記車室内冷却用熱交換器を通過した空気の上記車室内加熱用熱交換器への通過量を変更することによって車室内に吹き出す空調風の温度を調節するエアミックスドアと、
上記車室外熱交換器に送風するクーリングファンと、
上記膨張弁の冷媒入口側における冷媒のサブクール度合いを検出するサブクール検出手段と、
車両の車速に関する情報を出力する車速情報出力装置と、
上記電動コンプレッサ及び上記エアミックスドアを制御する制御装置とを備えた車両用空調装置において、
上記制御装置は、
車室内に吹き出す空調風の温度を上昇させる要求信号を受けた場合には、上記エアミックスドアの開閉動作による上記車室内加熱用熱交換器への送風量増加動作よりも、上記電動コンプレッサの吐出量減少動作を優先させて行い、一方、上記サブクール検出手段からの信号に基づいて上記膨張弁の冷媒入口側において冷媒がサブクール状態にならないと判定される場合には、上記車速情報出力装置から出力される情報に基づいて車速が所定車速以下であると判断したときに、上記電動コンプレッサの吐出量増加動作よりも、上記クーリングファンの送風量増加動作を優先させて行い、該クーリングファンの上限回転数を所定車速よりも高い場合に比べて低く設定するように構成されていることを特徴とするものである。
【００１２】
この構成によれば、吹き出し温度を上昇させる場合に、車室内加熱用熱交換器への送風量増加動作よりも、電動コンプレッサの吐出量減少動作を優先させることによって車室内冷却用熱交換器における冷媒の蒸発温度を上げるようにしたので、電動コンプレッサの仕事量が減少して消費電力が少なくて済む。
【００１３】
また、膨張弁の冷媒入口側において冷媒がサブクール状態とならない場合には、電動コンプレッサの冷媒吐出量増加をすることなく、一般に電動コンプレッサよりも消費電力の小さいクーリングファンの送風量を増加させて車室外熱交換器の熱交換量を上昇させることによってサブクール不足を回避し、気液二相冷媒が膨張弁を通過するのを抑制することが可能になる。
【００１４】
また、一般に、電動コンプレッサの吐出量増加による消費電力と、クーリングファンの送風量増加による消費電力とを比べた場合、クーリングファンの方が少なくて済む。本発明では、車室外熱交換器の放熱が走行風によって期待できない低車速時に、クーリングファンの送風量増加動作を優先させることで、消費電力の抑制と冷媒通過音の抑制とを両立することが可能になる。
【００１５】
また、車速が低くロードノイズ等が少ない場合にクーリングファンの上限回転数が抑えられるのでクーリングファンの風切り音が目立ちにくくなる。また、車速が高く、ロードノイズが大きい場合にはクーリングファンの上限回転数を高くして車室外熱交換器の放熱量を十分に確保し、このときには、クーリングファンの風切り音がロードノイズにかき消されるようになり、風切り音が目立ちにくくなる。
【００１６】
第２の発明は、第１の発明において、
上記冷凍サイクル装置の高圧側の冷媒圧力を検出する高圧側圧力検出手段を備え、
上記制御装置は、上記高圧側圧力検出手段からの信号に基づいて高圧側の冷媒圧力が所定圧力以下であると判断した場合、所定圧力よりも高い場合に比べて、上記クーリングファンの上限回転数を低く設定することを特徴とするものである。
【００１７】
すなわち、冷凍サイクル装置において、高圧側の冷媒圧力が高い場合は低い場合に比べて負荷が大きい。本発明では、高圧側の冷媒圧力が低く、冷凍サイクル装置の負荷が低い場合にクーリングファンの上限回転数が抑えられるのでクーリングファンの風切り音が低減される。また、冷凍サイクル装置の負荷が高い場合にはクーリングファンの上限回転数を高くして車室外熱交換器の放熱量を十分に確保することが可能になる。
【発明の効果】
【００１８】
第１の発明によれば、吹き出し温度を上昇させる場合には、電動コンプレッサの吐出量減少動作を優先させるようにしたので、空調性能を殆ど低下させることなく、消費電力を抑制できる。また、膨張弁の冷媒入口側において冷媒がサブクール状態とならない場合には、電動コンプレッサの吐出量増加動作よりも、クーリングファンの送風量増加動作を優先させるようにしたので、消費電力を低下させながら冷媒をサブクール状態とすることができ、冷媒通過音を低減できる。
【００１９】
また、車速情報出力装置からの信号が所定値以下の場合、電動コンプレッサの吐出量増加動作よりもクーリングファンの送風量増加動作を優先させるようにしたので、消費電力の抑制と冷媒通過音の抑制とを両立することができる。
【００２０】
また、車速が所定車速以下であると判断した場合にクーリングファンの上限回転数を低く設定するようにしたので、クーリングファンによる騒音を目立たなくすることができる。
【００２１】
第２の発明によれば、高圧側の冷媒圧力が所定圧力以下の場合にクーリングファンの上限回転数を低く設定するようにしたので、高負荷時の空調性能を確保しながら、低負荷時のクーリングファンによる騒音を低減できる。
【図面の簡単な説明】
【００２２】
【図１】実施形態にかかる車両用空調装置及び車載機器冷却装置の概略構成図である。
【図２】車両用空調装置のブロック図である。
【図３】空調制御装置による制御手順を示すフローチャートである。
【発明を実施するための形態】
【００２３】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２４】
図１は、本発明の実施形態にかかる車両用空調装置１及び車載機器冷却装置２の概略構造を示す模式図である。車両用空調装置１が搭載された車両は、走行用蓄電池及び走行用モーターを備えた電気自動車である。
【００２５】
車両用空調装置１の構造を説明する前に、車載機器冷却装置２の構造について説明する。車載機器冷却装置２は、車載機器１０としての走行用インバータ装置やＤＣ／ＤＣ変換器等を冷却するためのものであり、車載機器用の冷却水が流通する車載機器用ラジエター１１と、冷却水を圧送する電動ポンプ１２と、冷却水の温度を検出する冷却水温度センサ１５とを備えている。車載機器１０と電動ポンプ１２と車載機器用ラジエター１１とは冷却水配管１６によって環状となるように順に接続されている。車載機器用ラジエター１１は、車両の前端部近傍に配設されており、車両の走行時には走行風が当たるようになっている。
【００２６】
電動ポンプ１２は、図示しない車載機器用制御装置によって制御される。この車載機器用制御装置には、冷却水温度センサ１５が接続され、冷却水が所定温度以上になると電動ポンプ１２が作動する。
【００２７】
次に、車両用空調装置１の構造を説明する。車両用空調装置１は、冷凍サイクル装置２０と、車室内加熱用熱交換器２１と、ケーシング２２と、エアミックスドア２３と、クーリングファン２４と、空調制御装置２５とを備えている。
【００２８】
冷凍サイクル装置２０は、電動コンプレッサ３０と、車室外に配設されて凝縮器として機能する車室外熱交換器３１と、膨張弁３２と、車室内に配設されて空調用空気を冷却するエバポレータとして機能する車室内冷却用熱交換器３４とを冷媒配管３５によって環状に接続してなるものである。
【００２９】
電動コンプレッサ３０は、従来から周知の車載用のものであり、回転数を変更することによって単位時間当たりの吐出量を変化させることができるものである。電動コンプレッサ３０は、空調制御装置２５に接続されてＯＮ及びＯＦＦの切り替えと、回転数が制御されるようになっている。電動コンプレッサ３０には、走行用蓄電池から電力が供給される。
【００３０】
電動コンプレッサ３０には、該コンプレッサ３０の回転数を検出するコンプレッサ回転数検出センサ（コンプレッサ回転数検出手段）３０ａが設けられている。このコンプレッサ回転数検出センサ３０ａは空調制御装置２５に接続されている。
【００３１】
車室外熱交換器３１は、上記車載機器用ラジエター１１と同様に車両の前端部近傍に配設され、走行風が当たるようになっている。車室外熱交換器３１の方が車載機器用ラジエター１１よりも車両前側、即ち、走行風の流れ方向上流側に位置している。
【００３２】
車室外熱交換器３１には、電動コンプレッサ３０から吐出された冷媒が冷媒配管３５を介して導入される。車室外熱交換器３１は、導入された冷媒を外部空気（車室外の空気）と熱交換させることによって凝縮するように構成された凝縮器である。
【００３３】
尚、図１には冷媒を流れを白抜きの矢印で示している。
【００３４】
膨張弁３２は、車室外熱交換器３１から流出した冷媒を減圧させるためのものである。
【００３５】
車室内冷却用熱交換器３４は、膨張弁３２を通過して減圧された冷媒が導入される。車室内冷却用熱交換器３４は、導入された冷媒を外部空気（空調用空気）と熱交換させることによって空調用空気を冷却するように構成されている。車室内冷却用熱交換器３４から流出した冷媒は電動コンプレッサ３０に吸入される。
【００３６】
冷凍サイクル装置２０には、冷媒圧力センサ４０と、冷媒温度センサ４１と、高圧側圧力センサ（高圧側圧力検出手段）４２と、空気温度センサ（空気温度検出手段）４３とが設けられている。図２にも示すように、冷媒圧力センサ４０、冷媒温度センサ４１、高圧側圧力センサ４２及び空気温度センサ４３は、空調制御装置２５に接続されている。
【００３７】
冷媒圧力センサ４０は、膨張弁３２の冷媒入口側における冷媒の圧力を検出するためのものである。冷媒温度センサ４１は、膨張弁３２の冷媒入口側における冷媒の温度を検出するためのものである。
【００３８】
尚、膨張弁３２の冷媒入口側とは、膨張弁３２の冷媒入口を含み、その入口よりも冷媒流れ方向上流側の所定領域も含んでいる。従って、冷媒圧力センサ４０や冷媒温度センサ４１を膨張弁３２の冷媒入口に設けてもよいし、膨張弁３２と車室外熱交換器３１との間の冷媒配管３５に設けてもよい。また、冷媒圧力センサ４０や冷媒温度センサ４１を車室外熱交換器３１の出口側に設けてもよい。
【００３９】
高圧側圧力センサ４２は、電動コンプレッサ３０と車室外熱交換器３１との間の冷媒配管３５に設けられており、電動コンプレッサ３０から吐出された冷媒の圧力を検出するためのものである。空気温度センサ４３は、例えば車室外熱交換器３１の車両前側に取り付けられており、車室外熱交換器３１に流入する車室外の空気の温度を検出するためのものである。
【００４０】
ケーシング２２は、車室内においてインストルメントパネル（図示せず）の内部に配設されている。ケーシング２２には、ブロア２８が設けられている。ブロア２８は、車室内の空気と車室外の空気との一方を選択して空調用空気としてケーシング２２内に送風するためのものである。
【００４１】
ケーシング２２の内部には、上記車室内冷却用熱交換器３４及び車室内加熱用熱交換器２１が収容されている。車室内冷却用熱交換器３４は、車室内加熱用熱交換器２１よりも空気流れ方向上流側に配置されており、ブロア２８から送風された空調用空気は全量が車室内冷却用熱交換器３４を通過する。
【００４２】
車室内加熱用熱交換器２１には、図示しない電気ヒータ等の加熱手段により加熱された温水等の熱媒体が流通するようになっている。ブロア２８から送風された空調用空気と車室内加熱用熱交換器２１内部の温水とが熱交換することによって空調用空気が加熱される。加熱手段には走行用蓄電池から電力が供給される。
【００４３】
ケーシング２２には、車室内冷却用熱交換器３４と車室内加熱用熱交換器２１との間にエアミックスドア２３が収容されている。エアミックスドア２３は、車室内冷却用熱交換器３４を通過した空気の車室内加熱用熱交換器２１への通過量を変更することによって車室内に吹き出す空調風の温度を調節するためのものである。
【００４４】
具体的には、エアミックスドア２３は、エアミックスドアアクチュエータ４５によって動作するものである。エアミックスドアアクチュエータ４５は、空調制御装置２５に接続されており、空調制御装置２５からの出力信号によって動作する。エアミックスドア２３が車室内加熱用熱交換器２１への通風量を０とする位置にあるときには、車室内冷却用熱交換器３４を通過した冷風のみが車室に供給されることになり、一方、エアミックスドア２３が車室内加熱用熱交換器２１への通風量を確保する位置にあるときには、車室内冷却用熱交換器３４を通過した冷風と、車室内加熱用熱交換器２１を通過した温風とが車室内加熱用熱交換器２１の下流側で混合して車室に供給されることになる。
【００４５】
エアミックスドア２３の開度は任意に設定することが可能となっており、開度によって車室に供給される空調風の温度調節が可能である。
【００４６】
ケーシング２２のエアミックスドア２３よりも下流側には、デフロスタ吹出口２２ａ、ベント吹出口２２ｂ及びヒート吹出口２２ｃが形成されている。これら吹出口２２ａ〜２２ｃはそれぞれ図示しないドアによって開閉され、例えば、デフロスタモード、ベントモード等の様々な吹出モードに切り替えられるようになっている。
【００４７】
クーリングファン２４は、車室外熱交換器３１及び車載機器用ラジエター１１に車室外の空気を送って冷却するためのものである。クーリングファン２４は、空調制御装置２５に接続され、空調制御装置２５によってＯＮ及びＯＦＦの切り替えと、回転数（送風量）が制御されるようになっている。
【００４８】
クーリングファン２４の消費電力は電動コンプレッサ３０の消費電力よりも低いものとなっている。
【００４９】
空調制御装置２５は、例えば、乗員による設定温度や外気温、車室内温度、日射量等の情報に基づいてブロア２８の風量やエアミックスドア２３の開度を設定し、その設定した風量や開度となるようにブロア２８及びエアミックスドアアクチュエータ４５を制御するものであり、周知の中央演算装置やＲＯＭ、ＲＡＭ等によって構成されている。また、空調の負荷に応じて電動コンプレッサ３０やクーリングファン２４も制御する。
【００５０】
空調制御装置２５には、膨張弁３２の冷媒入口側における冷媒のサブクール度合いを検出するサブクール検出部（サブクール検出手段）２５ａが設けられている。サブクール検出部２５ａには、冷媒圧力センサ４０及び冷媒温度センサ４１から出力された信号が入力される。また、冷媒の飽和温度に関する情報（冷媒物性に基づく情報）が記憶されている。詳細は後述するが、サブクール検出部２５ａからの信号により、空調制御装置２５は、膨張弁３２の冷媒入口側において冷媒がサブクール状態であるか否かを判定するようになっている。
【００５１】
空調制御装置２５には、車速センサ２９が接続されている。車速センサ２９は、車両の車速に関する情報を出力する車速情報出力装置であり、車両用空調装置１の構成要素である。
【００５２】
以下、空調制御装置２５による制御手順について説明する。通常のオートエアコン制御と同様に、メインルーチンにおいて、ブロア２８の風量、エアミックスドア２３の開度、吹出モードの切り替え、電動コンプレッサ３０、クーリングファン２４の制御が行われる。クーリングファン２４は、基本的には電動コンプレッサ３０の作動中には作動するが、電動コンプレッサ３０が停止状態であっても、車載機器冷却装置２の冷却水温度センサ１５で検出された温度が所定温度以上である場合（冷却が必要な場合）には作動する。
【００５３】
空調制御装置２５による制御は、基本的には次のとおりである。例えば、夏季に乗員が設定温度を低めた場合には、乗員がより強い冷房を要求しているので空調の冷房負荷が増加することになり、電動コンプレッサ３０の回転数を増加させるとともに、車室内加熱用熱交換器２１を通過する冷風量が減少する方向にエアミックスドア２３を作動させる。また、冬季であれば、空調の冷房負荷は減少することになり、電動コンプレッサ３０の回転数は低くなる。
【００５４】
そして、空調制御装置２５は、車室内に吹き出す空調風の温度を上昇させる要求信号を受けた場合には、エアミックスドア２３の開閉動作による車室内加熱用熱交換器２１への送風量増加動作よりも、電動コンプレッサ３０の回転数を低下させる吐出量減少動作を優先させて行うように構成されている。
【００５５】
図３は、上記メインルーチンに組み込まれるサブルーチンのフローチャートを示している。このフローチャートに示す制御は、メインルーチンと同様に所定の周期で繰り返されている。
【００５６】
スタート後のステップＳ１では、車速センサ２９、冷媒圧力センサ４０と、冷媒温度センサ４１と、高圧側圧力センサ４２と、空気温度センサ４３から出力された信号を入力する。
【００５７】
ステップＳ１に続くステップＳ２では、膨出弁３２の冷媒入口側における冷媒の飽和温度を算出する。すなわち、ステップＳ２では、冷媒圧力センサ４０から出力された膨出弁３２の冷媒入口側における冷媒圧力を得て、この冷媒圧力と冷媒物性に基づく飽和温度に関する情報とにより、冷媒の飽和温度を算出する。
【００５８】
ステップＳ２に続くステップＳ３では、膨張弁３２の冷媒入口側における冷媒のサブクール度合いを判定する。すなわち、ステップＳ２で算出した飽和温度と、冷媒温度センサ４１から出力された膨出弁３２の冷媒入口側における冷媒温度とを比較し、冷媒温度が飽和温度以下である場合には、冷媒がサブクール状態であると判定し、一方、冷媒温度が飽和温度よりも高い場合には、冷媒がサブクール状態でないと判定する。ステップＳ２、Ｓ３は、サブクール検出部２５ａにて行われる。
【００５９】
この実施形態では、冷媒圧力センサ４０及び冷媒温度センサ４１を膨張弁３２の冷媒入口側に設けているので、膨張弁３２に流入する冷媒がサブクール状態であるか否かを正確に判定することが可能である。  
【００６０】
尚、冷媒圧力センサ４０及び冷媒温度センサ４１を膨張弁３２から離れた部位、例えば車室外熱交換器３１の冷媒出口近傍等に設け、膨張弁３２に流入する冷媒がサブクール状態であるか否かを予測に基づいて判定するようにしてもよい。
【００６１】
ステップＳ３で冷媒がサブクール状態でないと判定されれば、膨張弁３２には、気液二相冷媒が通過することになる。このときに気相が存在していることに起因して冷媒通過音が発生する恐れがある。一方、ステップＳ３でサブクール状態であると判定されれば、膨張弁３２には、液冷媒のみが通過することになるので、冷媒通過音は殆ど気にならない程度に小さなものとなる。従って、サブクール状態であると判定された場合には、エンドに進み、サブルーチンを終了してメインルーチンに戻る。
【００６２】
ステップＳ３でサブクール状態でないと判定された場合には、ステップＳ４に進んで第１車速判定を行う。第１車速判定は、車速センサ２９から出力された車両の速度に基づいて行われ、車速Ｖｓが２０ｋｍ／ｈよりも高いか否かを判定する。ステップＳ４でＹＥＳと判定されて車速Ｖｓが２０ｋｍ／ｈよりも高いと判定されると、走行時のロードノイズ等（騒音）が車室にある程度侵入している状況である。
【００６３】
このステップＳ４でＹＥＳと判定されると、ステップＳ５に進んで第２車速判定を行う。第２車速判定は、車速センサ２９から出力された車両の速度に基づいて行われ、車速Ｖｓが５０ｋｍ／ｈよりも高いか否かを判定する。ステップＳ５でＹＥＳと判定されて車速Ｖｓが５０ｋｍ／ｈよりも高いと判定されると、車室外熱交換器３１には走行風が十分に当たっている状況であり、クーリングファン２４の回転数を増大させても効果は期待できないので、ステップＳ６に進んで電動コンプレッサ３０の回転数を増大させた後、エンドに進む。
【００６４】
一方、ステップＳ４の第１車速判定においてＮＯと判定されて車速Ｖｓが２０ｋｍ／ｈ以下の場合には、ステップＳ７に進んで高圧側の冷媒圧力が所定値以上であるか否かを判定する。ステップＳ７では、高圧側圧力センサ４２から出力された冷媒圧力（電動コンプレッサ３０の吐出側の冷媒圧力）に基づいて行われる。強めの冷房が要求されている場合のように空調負荷が高い場合には、弱めの冷房でよい場合のように負荷が低い場合に比べて高圧側の冷媒圧力が高くなる。従って、ステップＳ７でＹＥＳと判定されれば、空調負荷が高いということであり、ＮＯと判定されれば空調負荷が低いということである。
【００６５】
ステップＳ７でＮＯと判定されて進んだステップＳ８では、クーリングファン２４の回転数の上限をＲ１に設定する。Ｒ１は、クーリングファン２４の最高回転数よりも低い値である。
【００６６】
そして、ステップＳ９に進み、クーリングファン２４の回転数をＲ１以下の範囲で増大させる。これにより、車室外熱交換器３１への送風量が増加して熱交換量が増えるので、膨張弁３２の冷媒入口側の冷媒がサブクール状態となる。よって、冷媒通過音が低減される。
【００６７】
このとき、車速Ｖｓが２０ｋｍ／ｈよりも低いのでロードノイズ等が小さな状況であるが、クーリングファン２４の上限回転数がＲ１とされて低く設定されているので、クーリングファン２４の風切り音が小さくなり、乗員に不快感を与えにくい。
【００６８】
ステップＳ７でＹＥＳと判定されて進んだステップＳ１０では、クーリングファンの上限回転数をＲ２に設定する。Ｒ２は、クーリングファン２４の最高回転数よりも低いが、Ｒ１よりも高い値である。
【００６９】
そして、ステップＳ９に進み、クーリングファン２４の回転数をＲ２以下の範囲で増大させる。これにより、車室外熱交換器３１への送風量が増加して熱交換量が増えるので、膨張弁３２の冷媒入口側の冷媒がサブクール状態となる。このとき、高圧側の冷媒圧力が高く空調負荷が高い状況であるが、クーリングファン２４は、Ｒ１よりも高い回転数まで回転可能であるので、高い空調負荷に対応することができる。
【００７０】
一方、クーリングファン２４の上限回転数は最高回転数よりも低いＲ２とされているので、クーリングファン２４の風切り音が小さくなり、乗員に不快感を与えにくい。
【００７１】
ステップＳ５の第２車速判定でＮＯと判定された場合には、車速が２０ｋｍ／ｈよりも高く、かつ、５０ｋｍ／ｈ以下である。この場合、ステップＳ１１に進み、ステップＳ１１では、ステップＳ７と同様に高圧側の冷媒圧力が所定値以上であるか否かを判定する。
【００７２】
ステップＳ１１でＮＯと判定されて空調負荷が低い場合には、ステップＳ１２に進み、クーリングファン２４の上限回転数をＲ３に設定する。Ｒ３は、クーリングファン２４の最高回転数よりも低いが、Ｒ２よりも高い値である。
【００７３】
そして、ステップＳ９に進み、クーリングファン２４の回転数をＲ３以下の範囲で増大させる。これにより、車室外熱交換器３１への送風量が増加して熱交換量が増えるので、膨張弁３２の冷媒入口側の冷媒がサブクール状態となり、冷媒通過音が低減される。
【００７４】
このとき、車速が５０ｋｍ／ｈ以下であるので、ロードノイズ等が多少大きい状態である。このことに対応して、クーリングファン２４の上限回転数を２０ｋｍ／ｈ以下の場合よりも高めているので、クーリングファン２４の風切り音を目立たせることなく、冷媒のサブクール状態を確実に得ることができる。
【００７５】
ステップＳ１１でＹＥＳと判定されて空調負荷が高い場合には、ステップＳ１３に進み、クーリングファン２４の上限回転数を最高回転数に設定する。最高回転数とは、クーリングファン２４による最大の送風能力が得られる回転数である。
【００７６】
そして、ステップＳ９に進み、クーリングファン２４の回転数を最高回転数以下の範囲で増大させる。これにより、車室外熱交換器３１への送風量が増加して熱交換量が増えるので、膨張弁３２の冷媒入口側の冷媒がサブクール状態となり、冷媒通過音が低減される。
【００７７】
このとき、車速が５０ｋｍ／ｈ以下でロードノイズ等が多少大きくなっているので、クーリングファン２４を最高回転数が回転させても風切り音は目立ちにくくなる。
【００７８】
つまり、空調制御装置２５は、膨張弁３２の冷媒入口側においてサブクールとならない場合には、電動コンプレッサ３０の吐出量増加動作よりも、クーリングファン２４の回転数増加動作を優先させて行うように構成されている。
【００７９】
以上説明したように、この実施形態にかかる車両用空調装置１によれば、吹き出し温度を上昇させる場合に、車室内加熱用熱交換器２１への送風量増加動作よりも、電動コンプレッサ３０の吐出量減少動作を優先させることによって車室内冷却用熱交換器３４における冷媒の蒸発温度を上げるようにしたので、電動コンプレッサ３０の仕事量が減少して消費電力が少なくて済む。
【００８０】
また、膨張弁３２の冷媒入口側においてサブクール状態とならない場合には、電動コンプレッサ３０の冷媒吐出量増加をすることなく、電動コンプレッサ３０よりも消費電力の小さいクーリングファン２４の回転数を増加させて車室外熱交換器３１の熱交換量を上昇させることによってサブクール不足を回避し、気液二相冷媒が膨張弁３２を通過するのを抑制することが可能になる。
【００８１】
したがって、消費電力を低下させながら、膨張弁３２の冷媒入口側における冷媒をサブクール状態とすることができ、冷媒通過音を低減できる。
【００８２】
また、冷凍サイクル装置２０には、膨張弁３２の冷媒入口側の冷媒圧力を検出する冷媒圧力センサ４０と、膨張弁３２の冷媒入口側の冷媒温度を検出する冷媒温度センサ４１とを設け、これらセンサ４０，４１の出力値と、冷媒の飽和温度とに基づいてサブクール度合いを算出するようにしたので、実際の冷媒温度及び圧力に基づいてサブクール度合いを具体的に算出することができ、気液二相冷媒が膨張弁３２を通過するのを抑制できる。
【００８３】
また、例えば、車速が５０ｋｍ／ｈよりも高い場合のように車室外熱交換器３１に十分な走行風が当たっている場合で冷媒がサブクール状態となっていない場合（ステップＳ５でＹＥＳと判定される場合）には、クーリングファン２４の回転数を増加させてもその効果は低く、無駄な電力消費となることが考えられるが、この実施形態によれば、クーリングファン２４の回転数を増加させる動作よりも電動コンプレッサ３０の吐出量を増加させる動作を優先させるようにしたので、消費電力の抑制と冷媒通過音の抑制とを両立することができる。
【００８４】
また、この実施形態では、電動コンプレッサ３０の吐出量増加による消費電力と、クーリングファン２４の回転数増加による消費電力とを比べた場合、クーリングファン２４の方が少なくて済む。車室外熱交換器３１の放熱が走行風によって期待できない低車速時（例えば２０ｋｍ／ｈ以下）に、電動コンプレッサ３０の回転数増加動作よりもクーリングファン２４の回転数増加動作を優先させることで、消費電力の抑制と冷媒通過音の抑制とを両立することができる。
【００８５】
また、冷凍サイクル装置２０において、高圧側の冷媒圧力が高い場合は低い場合に比べて負荷が大きいが、この実施形態では、冷凍サイクル装置２０の負荷が低い場合にクーリングファン２４の上限回転数が抑えられるのでクーリングファン２４の風切り音が低減される。また、冷凍サイクル装置２０の負荷が高い場合にはクーリングファン２４の上限回転数を高くして車室外熱交換器３１の放熱量を十分に確保することができる。
【００８６】
また、車速が低くロードノイズ等が少ない場合にクーリングファン２４の上限回転数が抑えられるのでクーリングファン２４の風切り音が目立ちにくくなる。また、車速が高く、ロードノイズが大きい場合にはクーリングファン２４の上限回転数を高くして車室外熱交換器３１の放熱量を十分に確保し、このときには、クーリングファン２４の風切り音がロードノイズにかき消されるようになり、風切り音が目立ちにくくなる。
【００８７】
尚、上記サブクール検出部２５ａでは、冷媒圧力及び温度を利用してサブクール状態であるか否か判定するようにしたが、コンプレッサ回転数検出センサ３０ａと、車速センサ２９と、空気温度センサ４３とに基づいてサブクール度合いを算出するように構成してもよい。
【００８８】
この場合、車速センサ２９と空気温度センサ４３との出力信号から車室外熱交換器３１の放熱量が予測される。すなわち、車速が高いほど、また、外気温が低いほど車室外熱交換器３１の放熱量が増加する。また、コンプレッサ回転数検出センサ３０ａの出力信号から冷媒循環量が予測され、電動コンプレッサ３０の回転数が高いほど冷媒循環量が多くなる。
【００８９】
このように、車室外熱交換器３１の放熱量と冷媒循環量とに基づいてサブクール状態であるか否かを検出するようにしたことで、冷媒圧力センサ４０や冷媒温度センサ４１等の冷媒漏れを誘発するセンサを設けることなく、サブクール状態となっているか否かを確実に得ることができるという利点がある。
【００９０】
また、クーリングファン２４の上限回転数Ｒ１、Ｒ２、Ｒ３は同じにしてもよい。
【００９１】
また、フローチャートのステップＳ４における第１車速判定の速度は２０ｋｍ／ｈより低くても高くてもよく、例えば、１０ｋｍ／ｈ〜３０ｋｍ／ｈの範囲で設定することができる。
【００９２】
また、フローチャートのステップＳ５における第２車速判定の速度は５０ｋｍ／ｈより低くても高くてもよく、例えば、４０ｋｍ／ｈ〜６０ｋｍ／ｈの範囲で設定することができる。
【００９３】
また、膨張弁３２の冷媒入口側における冷媒がサブクール状態にあるか否かを判定する方法としては、上記した方法以外の方法を用いてもよい。
【００９４】
また、上記実施形態では、クーリングファン２４が１つの場合に回転数を変化させることによって送風量を変化させているが、これに限らず、例えば、クーリングファン２４を複数設けてそれらを独立してＯＮ／ＯＦＦすることによって送風量を変化させてもよい。
【００９５】
また、上記実施形態では、車両用空調装置１を電気自動車に搭載する場合について説明したが、これに限らず、例えばエンジンと走行用モーターとを備えたハイブリッド自動車に車両用空調装置１を搭載することも可能である。
【産業上の利用可能性】
【００９６】
以上説明したように、本発明にかかる車両用空調装置は、例えば、電気自動車に搭載することができる。
【符号の説明】
【００９７】
１          車両用空調装置
２０        冷凍サイクル装置
２１        車室内加熱用熱交換器
２２        ケーシング
２３        エアミックスドア
２４        クーリングファン
２５        空調制御装置
２５ａ      サブクール検出部（サブクール検出手段）
２８        ブロア
２９        車速センサ（車速情報出力装置）
３０        電動コンプレッサ
３０ａ      コンプレッサ回転数検出センサ（コンプレッサ回転数検出手段）
３１        車室外熱交換器
３２        膨張弁
３４        車室内冷却用熱交換器
３５        冷媒配管
４０        冷媒圧力センサ
４１        冷媒温度センサ
４２        高圧側圧力センサ（高圧側圧力検出手段）
４３        空気温度センサ（空気温度検出手段）
【図１】
0005957232.tif 000002
【図２】
0005957232.tif 000003
【図３】
0005957232.tif 000004